(57)【要約】【課題】標的の背後に築いた築堤に食い込んだり周辺に飛散したりした銃弾を回収することは非常に困難であり、ほとんど回収作業は行われず、しかも、銃弾を再使用することができないという問題がある。【解決手段】標的の背後に、袋体内に十分な厚さのゲル材を収納して受衝体とし、この受衝体を配置したことを特徴とする【選択図】        図１
2004205173.tif 000002
【特許請求の範囲】
【請求項１】
標的の背後に、袋体内に十分な厚さのゲル材を収納して受衝体とし、この受衝体を配置したことを特徴とする銃弾着弾装置。
【請求項２】
請求項１において、ゲル材が、捕捉した銃弾がその重量により沈下できる粘度であることを特徴とする銃弾着弾装置。
【請求項３】
請求項１において、銃弾に対して高伸度ゴムによるカバーを介して受衝体を配置したことを特徴とする銃弾着弾装置。
【発明の詳細な説明】
【０００１】
【発明の属する技術分野】
本発明は、ピストル射撃、ライフル射撃等の射撃場における銃弾着弾装置に関する。
【０００２】
【従来の技術】
各種射撃に用いられる銃弾の標的の後方や標的を直接取り付ける着弾場所は、砂や土で築山を構築したり、地山を利用したりして銃弾の飛散を防ぐようにしている。
また、このような射撃訓練や射撃練習に使用される銃弾の量は非常に大量である。
【０００３】
【発明が解決しようとする課題】
このような従来技術によると、銃弾は、築山等に食い込んだり周辺に飛散したりして原形を止めない程変形してしまい、原型のままの形状で回収することは困難であり、そのまま再利用することができるような回収作業は行われず、金属くずとして処理される。しかも、飛散したくずは散失してしまう量が多く、全ての回収は困難である。
【０００４】
【課題を解決するための手段】
そこで本発明は、標的の背後に、標的の背後に、袋体内に十分な厚さのゲル材としての未加硫ゴム（以下ゴムゲルという。）を収納して受衝体とし、この受衝体を配置したことを特徴とする。
ここで使用するゴムゲルは、天然ゴムを溶媒抽出したときに残存する不溶性の超高分子の物質に沸点の高い油性剤、難燃材、補強材さらに必要に応じて、補強用の繊維チップ等を混入して三次元的に架橋した物質等であり、分子量が大きく、かつ液状体性質であり、混入具合によっては塑性変形が可能なものとすることができる。
【０００５】
ゴムゲルは、上記の如く、天然ゴムが望ましいが、使用条件に応じて架橋反応していない合成ゴムでもよい。
このようにこれらのゴムゲルを含めてゲル材とは、常温で高粘度の液状体であり、分子間引力等により非流動化した材料であればどのような材料でもよく、合成樹脂やそれらとゴムとの複合材等でもよい。
【０００６】
そのために、弾丸が貫入し場合に、自己修復性を有し、弾丸が捕捉された貫通穴を消失させ、常に充実した状態を保つことができる。
しかも、捕捉した銃弾のゲル材との比重差により、下方に沈下し、まとめて取り出すことが可能となる。
さらに、捕捉した銃弾は壊れずに原形のままであり、再使用が可能な状態で捕捉することができるものである。
【０００７】
【発明の実施の形態】
以下に本発明の実施の形態例を図面を用いて説明する。
図１は断面説明図である。
図において、１は所定形状の袋体２内に弾性がないかもしくは非常に小さく塑性変形をする材料であるゲル材３を収納した受衝体であり、銃弾を捕捉するに十分な厚さ（奥行き）を有している。ゲル材３は液状体性質を有するために長時間にわたって一定の形状を保ことができず、そのために所定形状の袋体２内に収納して所定の形状とするものある。この袋体は、天然繊維や合成繊維製の布体や合成樹脂シート製やゴム製等である。
【０００８】
上記受衝体１は重量物であるために、図示する如く、台車４に載せておくとよい。
５は上記受衝体１を収納する構造体であり、金属製、コンクリート製、木製、合成樹脂材製等どのような材料による構造体でもよく、前面に開口６が設けてあり、その開口６から上記受衝体１の出し入れができると共に受衝体１の表面によって塞がれるようになる。
【０００９】
７は上記開口６を覆うように設けた高伸度ゴムによるカバーである。
以上によって銃弾着弾装置が構成され、この前方に図示しない標的が設置される。
また、図２に示す如く、構造体５を後方を下げて傾けて設置しても同様である。このように後方に傾けることにより、自重による前垂れの変形を防止することができる。
【００１０】
なお、上記の如く、受衝体１は必ずしも台車４に載せておかなくてもよく、図３に示す如く、床面に直接もしくは床面に置いた台の上に載せて設置してもよい。これは上記の水平状態に設置するときも同様である。
１１は必要に応じて取り付けたウインチ等の搬入、搬出用の設備である。
このような構成によると、発射された銃弾は、カバー７を突き抜けて無傷の状態で受衝体１で捕捉される。
【００１１】
その際、カバー７は高伸度ゴムによるために、図４に示す如く、銃弾の貫通穴は元の状態に復元するために極度に小さくなる。
受衝体１に捕捉された銃弾は、ゲル材との比重差により、時間をかけて下方に沈下する。
ある程度の銃弾が下部にたまったら、台車４を構造体５から引出し、袋体２を外してゲル材３の下部を切断し、その切断分だけ新たなゲル材３を上に加えて再び袋体２で覆って構造体５内に収納する。
【００１２】
切断されたゲル材３には、たまった多数の銃弾が入っており、それらを抜き出し、その銃弾およびゲル材３は再使用される。
上記ゲル材３はその粘度は自由であり、あまり低粘度であると、銃弾を止める作用が弱くなるために厚さとの関係で粘度を定める、したがって、捕捉した銃弾が沈下しないような粘度でもよい。その場合には、銃弾はほぼ同じような奥行きの箇所に集中して停止して捕捉されていることになり、その層を縦方向もしくは横方向に切断して取り出せばよい。
【００１３】
さらには、全体が一定の粘度ではなく、奥行き方向に向けて粘度を変えてもよい。例えば、図５に示す如く、縦方向に２分割して前部を高粘度とし、後部を低粘度としてもよく、また、無段階に粘度を変化させてもよい。
なお、ゲル材３は上記の如く、同程度の塑性変形をする性質を有する合成樹脂、合成ゴム等でもまったく同様に使用することができ、本発明ではそれらを含めてゲル材と表現する。
【００１４】
また、上記構成において、袋体２は必ずしも上記のような構成でなくてもよく、図６に示す如く、袋体２の全体もしくは少なくとも前面側を高伸度ゴムで構成してもよい。その場合には開口６のカバー７は不要となる。
図において、８は跳弾防止材であり、ゴム単体でもよいが、ゴムや合成樹脂の中に天然繊維、合成繊維、金属繊維もしくはこれらの混合繊維の織布もしくは不織布を互層積層状態に埋設した複合材９と表面材のゴム１０とよりなる材料でできていると、銃弾の衝撃力の減少とエネルギーの吸収をはかって耐久性を向上させることができ、しかも表面材で銃弾を停止させることができる。
【００１５】
なお、上記の説明は陸上における射撃場として説明を行ったが、船舶上（内）に構成しても同様である。
【００１６】
【発明の効果】
以上詳細に説明した本発明によると、袋体内に十分な厚さのゲル材を収納して受衝体とし、この受衝体を標的の背後に配置したことにより、発射された銃弾は、無傷の状態で受衝体で捕捉され、それを取り出すことにより再利用が可能であり、また、銃弾を除いたゲル材も際利用が可能であるという効果を有する。
【図面の簡単な説明】
【図１】実施の形態例の断面説明図
【図２】他の形状の断面説明図
【図３】台車を用いないで設置した状態の説明図
【図４】カバーの説明図
【図５】ゴムゲルの説明図
【図６】他の袋体の説明図
【符号の説明】
１  受衝体
２  袋体
３  ゲル材
４  台車
５  構造体
６  開口
７  カバー
８  跳弾防止材
９  複合材
１０  ゴム
１１  ウインチ
【図１】
2004205173.tif 000003
【図２】
2004205173.tif 000004
【図３】
2004205173.tif 000005
【図４】
2004205173.tif 000006
【図５】
2004205173.tif 000007
【図６】
2004205173.tif 000008